(57)【要約】【課題】貝類を短期間のうちに効果的に生育・成長させ、貝類の高い生産性が得られる漁場を形成することができ、且つ低コストで施工することが可能な貝類の漁場の改良又は造成方法を提供する。【解決手段】貝類の既存漁場又は漁場を造成べき場所の水底又は水浜に、貝類が生息する底質の少なくとも一部を構成すべく、水中にＣａイオンを溶出する粒状物を敷設することを特徴とし、この改良又は造成された漁場では底質そのものからＣａイオンが溶出するため、底質に生息する濾過食性生物である貝類が殻の成長に必要なＣａ成分を非常に効率的に取り込むことができ、この結果、貝類の生育・成長が効果的に促進されるとともに、個体の着底・生息密度も高くなる。【選択図】      なし【特許請求の範囲】
【請求項１】
貝類の既存漁場又は漁場を造成べき場所の水底又は水浜に、貝類が生息する底質の少なくとも一部を構成すべく、水中にＣａイオンを溶出する粒状物を敷設することを特徴とする貝類の漁場の改良又は造成方法。
【請求項２】
水中にＣａイオンを溶出する粒状物をそれ以外の底質構成物と混合し、該混合物を水底又は水浜に敷設することを特徴とする請求項１に記載の貝類の漁場の改良又は造成方法。
【請求項３】
水中にＣａイオンを溶出する粒状物又は水中にＣａイオンを溶出する粒状物とそれ以外の底質構成物との混合物を水底又は水浜に敷設した後、該敷設した粒状物又は混合物とその下層の既存の底質とを撹拌混合することを特徴とする請求項１に記載の貝類の漁場の改良又は造成方法。
【請求項４】
水中にＣａイオンを溶出する粒状物の少なくとも一部が、鉄鋼製造プロセスで発生するスラグであることを特徴とする請求項１、２又は３に記載の貝類の漁場の改良又は造成方法。
【請求項５】
水中にＣａイオンを溶出する粒状物の少なくとも一部が、高炉水砕スラグであることを特徴とする請求項１、２、３又は４に記載の貝類の漁場の改良又は造成方法。
【請求項６】
貝類の既存漁場又は漁場を造成べき場所の水底又は水浜に敷設される資材であって、水中にＣａイオンを溶出する粒状物からなることを特徴とする貝類の漁場の改良用又は造成用資材。
【請求項７】
高炉水砕スラグからなることを特徴とする請求項６に記載の貝類の漁場の改良用又は造成用資材。
【請求項８】
水底又は水浜に、水中にＣａイオンを溶出する粒状物が敷設され、該粒状物が、貝類が生息する底質の少なくとも一部を構成していることを特徴とする貝類の人工改良又は造成漁場。
【請求項９】
水中にＣａイオンを溶出する粒状物の少なくとも一部が高炉水砕スラグであることを特徴とする請求項８に記載の貝類の人工改良又は造成漁場。
【発明の詳細な説明】
【０００１】
【発明が属する技術分野】
本発明は、アサリ、ハマグリ、シジミ等のような貝類の漁場を改良し又は造成するための方法に関する。
【０００２】
【従来の技術】
閉鎖性海域、内湾などの沿岸海域や汽水域には、アサリ、ハマグリ、シジミ等のような貝類の漁場が数多く存在しているが、近年、底質・水質の汚染などによって貝類の漁場の衰退・消失が進んでおり、また、浅場や砂浜での海砂の採取・流失、埋め立て等によっても貝類の漁場が失われつつある。
【０００３】
従来、貝類（特に、浅場の砂質等に生息する二枚貝）の増殖、衰退した貝類の漁場の修復や造成を目的として、いくつかの提案や実際の施工例がある。例えば、非特許文献１には、沿岸海域において地盤の切砂及び導流堤の構築などによってハマグリの母貝育成と幼稚貝の沈着・生育に適した増殖場を人工的に造成した例が示されており、また、特許文献１には、スパイラル羽根を有するオーガによって水底の底泥よりも下層側の土を掘削し、これを底泥よりも上層に持ち上げ、底泥と下層の土とを置換することにより、貝類の漁場の底質を改修する方法が示されている。
【０００４】
【非特許文献１】
「河口・沿岸域の生態とエコテクノロジー」第２３６頁−第２３７頁，１９８８年１１月２０日  東海大学出版会発行
【特許文献１】
特開２００２−３０６００１号公報
【０００５】
【発明が解決しようとする課題】
しかし、上記従来技術は既存の底質を利用した改修や造成により貝類の漁場の改善（生産性の向上）を図るものであるため、その効果には自ずと限界があり、貝類の生育性や生産性を短期間で顕著に向上させる手法とはなり得ない。また、これらの方法は、改修や造成工事のためのコストがかかるという難点もある。
したがって本発明の目的は、貝類を短期間のうちに効果的に生育・成長させ、貝類の高い生産性が得られる漁場を形成することができ、しかも低コストで施工することが可能な貝類の漁場の改良又は造成方法を提供することにある。
【０００６】
【課題を解決するための手段】
本発明者らは、貝類の既存漁場の改修や新たな漁場の造成を行う場合に、貝類の生育・成長を効果的に促進させることができる方策について、主に漁場となる水底や水浜に敷設する敷設材料の面から検討を行い、その結果、漁場となる水底又は水浜に対して水中にＣａイオンを溶出する粒状物を敷設し、この粒状物によって貝類が生息する底質の少なくとも一部を構成させることにより、貝類の成長が効果的に促進され、貝類の高い生産性が得られることを見出した。また、水中にＣａイオンを溶出する粒状物としては、特に鉄鋼製造プロセスで発生するスラグが好適であり、さらに、そのなかでも高炉水砕スラグが最も適した材料であることが判った。
【０００７】
本発明は以上のような知見に基づきなされたもので、その特徴は以下の通りである。
［１］  貝類の既存漁場又は漁場を造成べき場所の水底又は水浜に、貝類が生息する底質の少なくとも一部を構成すべく、水中にＣａイオンを溶出する粒状物を敷設することを特徴とする貝類の漁場の改良又は造成方法。
［２］  上記［１］の漁場の改良又は造成方法において、水中にＣａイオンを溶出する粒状物をそれ以外の底質構成物と混合し、該混合物を水底又は水浜に敷設することを特徴とする貝類の漁場の改良又は造成方法。
【０００８】
［３］  上記［１］の漁場の改良又は造成方法において、水中にＣａイオンを溶出する粒状物又は水中にＣａイオンを溶出する粒状物とそれ以外の底質構成物との混合物を水底又は水浜に敷設した後、該敷設した粒状物又は混合物とその下層の既存の底質とを撹拌混合することを特徴とする貝類の漁場の改良又は造成方法。
［４］  上記［１］〜［３］のいずれかの漁場の改良又は造成方法において、水中にＣａイオンを溶出する粒状物の少なくとも一部が、鉄鋼製造プロセスで発生するスラグであることを特徴とする貝類の漁場の改良又は造成方法。
【０００９】
［５］  上記［１］〜［４］のいずれかの漁場の改良又は造成方法において、水中にＣａイオンを溶出する粒状物の少なくとも一部が、高炉水砕スラグであることを特徴とする貝類の漁場の改良又は造成方法。
［６］  貝類の既存漁場又は漁場を造成べき場所の水底又は水浜に敷設される資材であって、水中にＣａイオンを溶出する粒状物からなることを特徴とする貝類の漁場の改良用又は造成用資材。
［７］  上記［６］の漁場の改良用又は造成用資材において、高炉水砕スラグからなることを特徴とする貝類の漁場の改良用又は造成用資材。
【００１０】
［８］  水底又は水浜に、水中にＣａイオンを溶出する粒状物が敷設され、該粒状物が、貝類が生息する底質の少なくとも一部を構成していることを特徴とする貝類の人工改良又は造成漁場。
［９］  上記［８］の人工改良又は造成漁場において、水中にＣａイオンを溶出する粒状物の少なくとも一部が高炉水砕スラグであることを特徴とする貝類の人工改良又は造成漁場。
【００１１】
【発明の実施の形態】
本発明法では、貝類の既存漁場の改修（改良）や新たな漁場の造成を行うに当たり、漁場となる水底又は水浜に、水中にＣａイオンを溶出する粒状物（以下、「Ｃａ溶出性粒状物」という）を敷設し、この粒状物によって貝類が生息する底質の少なくとも一部を構成させる。これにより、底質そのものからＣａイオンが溶出するため、底質に生息する濾過食性生物である貝類が殻の成長に必要なＣａ成分を非常に効率的に取り込むことができ、この結果、貝類（殻）の生育・成長が効果的に促進されるとともに、個体の着底・生息密度も高くなるものと考えられる。
【００１２】
本発明法は、衰退しつつある既存の漁場だけでなく、健全な漁場に対して更なる生産性の向上を図るために適用してもよい。また、消失した漁場やその他の場所に新たな漁場を造成するために適用してもよい。また、既存の底質を浚渫により除去した後に、本発明法を適用してもよい。
Ｃａ溶出性粒状物の水底又は水浜に対する敷設形態は、Ｃａ溶出性粒状物が貝類が生息する底質の少なくとも一部を構成するような形態であればよく、他は任意である。
【００１３】
したがって、例えば、▲１▼Ｃａ溶出性粒状物が水底又は水浜に層状に敷設され、このＣａ溶出性粒状物層又はこれとその下層の既存底質層が「貝類が生息する底質」を構成するような形態、▲２▼Ｃａ溶出性粒状物とそれ以外の底質構成物（例えば、砂、泥等）との混合物が水底又は水浜に層状に敷設され、この混合物層又はこれとその下層の既存底質層が「貝類が生息する底質」を構成するような形態、▲３▼Ｃａ溶出性粒状物又はＣａ溶出性粒状物とそれ以外の底質構成物との混合物を水底又は水浜に敷設した後、この敷設された粒状物又は混合物とその下層の既存底質とを撹拌混合することにより、Ｃａ溶出性粒状物とそれ以外の底質構成物との混合物層又はこれとその下層の既存底質層が「貝類が生息する底質」を構成するような形態、等の任意の形態とすることができる。
なお、Ｃａ溶出性粒状物と事前に混合される上記底質構成物としては、砂（海砂、山砂）、泥のほか、石炭灰（フライアッシュ等）、ケイ砂等の任意の材料（主として粒状物）を用いることができる。
【００１４】
また、Ｃａ溶出性粒状物の水底又は水浜への敷設厚さも任意であり、上記▲１▼〜▲３▼等の敷設形態や、対象とする漁場に生息する或いは生息させる貝類の種類（すなわち、底質中で貝類が生息する深さ）等に応じて決めればよい。実質的に敷設されたＣａ溶出性粒状物層のみで貝類が生息する底質を構成させる場合には、通常５ｃｍ以上（既存底質が泥質であるような場合は１５ｃｍ以上）の厚さに、特に好ましくは３０ｃｍ以上の厚さに敷設することが望ましい。勿論、それ以上の厚さ（例えば、５０ｃｍ以上或いは１００ｃｍ以上の厚さ）で敷設しても構わない。
Ｃａ溶出性粒状物の粒径も任意であり、一般には極細砂（粒径１／１６〜１／８ｍｍ程度）〜細礫（粒径２〜４ｍｍ程度）の範囲のものが好ましいが、これに限定されるものではない。
【００１５】
本発明法が対象とする漁場の生息貝類に特別な制限はないが、一般には砂質〜泥質に生息するアサリ、ハマグリ、アカガイ、サルボウ、トリガイ、ホッキガイ、バカガイ、タイラギ、シジミなどの水産有用貝類である。
また、本発明法を適用する水域にも特別な制限はなく、海水域、汽水域、淡水域（例えば、湖沼など）のいずれでもよい。また、Ｃａ溶出性粒状物を敷設する水底の深さも任意であるが、一般にアサリやハマグリなどの漁場は水深が５〜１０ｍ程度の水域が多い。
【００１６】
次に、Ｃａ溶出性粒状物の好ましい条件について説明する。
本発明法において水底又は水浜に敷設するＣａ溶出性粒状物は、水中でＣａイオンを溶出できるものであれば、その種類を問わないが、周囲の水のｐＨがあまり高くなるようなものは、貝類の生息に悪影響を及ばすため好ましくない。この観点からＣａ溶出性粒状物は、その周囲の水（特に、底層水、間隙水）のｐＨが、海水域（この「海水域」は恒常的に塩分濃度が１％以上である水域と定義する）ではｐＨ１１以下、好ましくはｐＨ９．５以下、淡水域（この「淡水域」は上記に定義される「海水域」よりも塩分濃度が低い水域と定義する）ではｐＨ１２以下、好ましくはｐＨ１０以下となるようなものを用いることが好ましい。また、Ｃａ溶出性粒状物の周囲の水（特に、底層水、間隙水）のｐＨの下限については、ｐＨ６．５程度が適当である。
【００１７】
Ｃａ溶出性粒状物としては、例えば、鉄鋼製造プロセスで発生するスラグ、廃コンクリート（例えば、コンクリート廃棄物を破砕処理したもの）、モルタル、アルミナセメント、ＣａＯ含有耐火物、ＣａＯ含有石炭灰、消石灰、固化処理土（例えば、セメント固化処理土、石灰固化処理土）などが挙げられるが、周囲の水のｐＨを過剰に上昇させないという観点からは、特に鉄鋼製造プロセスで発生するスラグが好ましい。
鉄鋼製造プロセスで発生するスラグとしては、高炉で発生する高炉水砕スラグ、高炉風砕スラグ、高炉徐冷スラグ；予備処理、転炉、鋳造等の工程で発生する脱炭スラグ、脱燐スラグ、脱硫スラグ、脱珪スラグ、鋳造スラグ等の製鋼スラグ；鉱石還元スラグ；電気炉スラグ等を挙げることができるが、これらに限定されるものではなく、また２種以上のスラグを混合して用いることもできる。また、これらのスラグは、鉄鋼製造プロセスにおいて副生成物として得られたままのスラグ、或いはスラグを地鉄（鉄分）除去したもの、破砕処理したもの、地鉄除去の前又は後に破砕処理したものなどを用いることができる。
【００１８】
鉄鋼製造プロセスで発生するスラグは、通常１３〜５５ｍａｓｓ％程度のＣａＯを含んでいるが、このＣａＯのうちの相当量がフリーのＣａＯではなく、ｎＣａＯ−ＳｉＯ２（例えば、２ＣａＯ−ＳｉＯ２，３ＣａＯ−ＳｉＯ２等）の組成物の形態で存在しており、このため過剰なＣａイオンの溶出とこれによって引き起こされる周囲の水の過度なｐＨ上昇が適切に抑えられる。
【００１９】
また、上記スラグのなかでも、高炉水砕スラグがＣａ溶出性粒状物として最も好ましい。高炉水砕スラグはＣａＯ、ＳｉＯ２及びＡｌ２Ｏ３を主成分とするガラス質の粒状物であり、一般にＣａＯを３５ｍａｓｓ％以上含有しているが、スラグのなかでも特にフリーのＣａＯの割合が少なく、多くのＣａＯが上記ｎＣａＯ−ＳｉＯ２の形態で存在している。したがって他のスラグに較べてＣａイオンの溶出速度が小さく、このため周囲の水のｐＨを上昇させにくく、しかもＣａイオンの溶出作用を長期間に亘って持続させることができる。また、高炉水砕スラグは、元々（すなわち、生成ままの状態で）粒径５ｍｍ以下のスラグ粒子の割合が９０ｍａｓｓ％以上で、Ｄ５０が１ｍｍ〜１．５ｍｍ程度の粒状のものであり、粒径が砂粒に近いため、特別な整粒工程（例えば、粉砕処理や篩い分け）を経なくても使用できる利点があり、しかも、高炉において副生成物として大量に生産され、且つ非常に安価な材料であるため水底や水浜への大量投入が可能であり、例えば、１つの海域や海浜に百万トンオーダーで投入することが可能である。また、高炉水砕スラグは粒状で且つ白色であり、天然砂に近い性状及び外観を有しているため、その敷設層は砂質に近い環境となる。
【００２０】
さらに、高炉水砕スラグは高温の溶融状態にある高炉スラグ（溶融スラグ）を噴流水で急冷して得られるものであり、溶融状態にあるスラグを噴流水で急冷する過程でスラグ中に溶け込んでいる窒素や水分などによってスラグが発泡するため、得られるスラグ粒子は無数の内部気孔を有する多孔質組織のガラス質材料となる。また、同様の理由から高炉水砕スラグの粒子は角張った形状（表面に多数の尖った部分を有する形状）を有している。このような形態上の特徴から、高炉水砕スラグの敷設層は充填間隙が大きく、通水性が非常に優れている。このためスラグ粒子間の間隙の水が入れ替りやすく、この間隙での溶存酸素濃度が十分に確保されるため、貝類の生息に良好な環境を提供することができる。
なお、高炉水砕スラグについても、必要に応じて粉砕処理や篩い分けなどの整粒工程を経たものを用いてよい。
【００２１】
本発明法を実施するに当たり、敷設したＣａ溶出性粒状物が海流等により流失しないようにするため、敷設したＣａ溶出性粒状物の周囲或いは外洋側に潜堤を設置することが好ましい場合がある。この潜堤は任意の材料で構成することができるが、例えば、塊状スラグ（鉄鋼製造プロセスで発生した塊状スラグ）を積み上げたもの、スラグ等の粉粒状原料を炭酸反応で固結させて得られたブロック、スラグを主原料とする水和硬化体ブロックなどで構成することもできる。
【００２２】
以上述べた本発明法によれば、水底又は水浜に、水中にＣａイオンを溶出する粒状物が敷設され、この粒状物が貝類が生息する底質の少なくとも一部を構成した貝類の人工改良又は造成漁場が形成される。
また、本発明法で用いられるＣａ溶出性粒状物は、貝類の漁場の改良又は造成用資材であり、この資材としては上述したような各種材料を用いることができるが、特に鉄鋼製造プロセスで発生したスラグが好ましく、そのなかでも高炉水砕スラグが最も好ましい。
【００２３】
【実施例】
内湾の水深２．５ｍの浅場の水底（泥砂混合の底質）に、それぞれ１０ｍ×１０ｍの広さでスラグ区（高炉水砕スラグを約５０ｃｍの厚さに敷設した区域）、海砂区（海砂を約５０ｃｍの厚さに敷設した区域）、泥砂混合の原地盤区（原地盤のままの区域）を設け、各区域の中央に殻長約１０ｍｍのアサリをそれぞれ約１０００個投入した。なお、投入したアサリの殻には、他の場所から侵入してくる自然増のアサリと区別するためにマーキングを施した。
【００２４】
アサリを投入してから１２ヶ月経過後に、各区域の中央部の１ｍ四方の領域からアサリを採取し、アサリの生残数及び自然増数と、生存していたアサリの殻長、湿重量を測定した。その結果を以下に示す。
▲１▼スラグ区
・生残数：１６３個、斃死数：２１個、自然増数：１０７個
・生存していたアサリの殻長平均値：１５ｍｍ
・アサリ１個体の平均湿重量：３．０ｇ
▲２▼海砂区
・生残数：１５２個、斃死数：２３個、自然増数：４９個
・生存していたアサリの殻長平均値：１３ｍｍ
・アサリ１個体の平均湿重量：２．７ｇ
▲３▼原地盤区
・生残数：９５個、斃死数：４７個、自然増数：３１個
・生存していたアサリの殻長平均値：１１ｍｍ
・アサリ１個体の平均湿重量：２．４ｇ
【００２５】
【発明の効果】
以上述べた本発明による貝類の漁場の改良又は造成方法によれば、貝類を短期間のうちに効果的に生育・成長させ、貝類の高い生産性が得られる漁場を低コストで形成することができる。